(57)【要約】【課題】本発明は点灯装置、照明器具および照明制御システムに関し、アドレスと照明器具との紐付けを簡単にできる点灯装置、照明器具および照明制御システムを得ることを目的とする。【解決手段】本発明に係る点灯装置は、光源を点灯させる点灯回路と、無線信号に応じて該点灯回路を制御する制御回路と、を有する電源装置と、外部の操作装置から該無線信号を受信する第１通信部と、外部機器との間に生じる電磁波または電磁誘導により電力を供給され該外部機器と無線通信を行い、該操作装置が記憶する該無線信号の送信先アドレスと、該第１通信部の識別アドレスと、を一致させる第２通信部と、を備える。【選択図】図１
2020181768.tif 000002
【特許請求の範囲】
【請求項１】
光源を点灯させる点灯回路と、無線信号に応じて前記点灯回路を制御する制御回路と、を有する電源装置と、
外部の操作装置から前記無線信号を受信する第１通信部と、
外部機器との間に生じる電磁波または電磁誘導により電力を供給され前記外部機器と無線通信を行い、前記操作装置が記憶する前記無線信号の送信先アドレスと、前記第１通信部の識別アドレスと、を一致させる第２通信部と、
を備えることを特徴とする点灯装置。
【請求項２】
前記第２通信部は、前記無線信号の前記送信先アドレスを前記無線通信により前記外部機器から受信し、前記送信先アドレスを前記第１通信部の前記識別アドレスとして記憶することを特徴とする請求項１に記載の点灯装置。
【請求項３】
前記第２通信部は、前記電源装置に電力が供給されていない状態で前記外部機器から前記送信先アドレスを受信することを特徴とする請求項２に記載の点灯装置。
【請求項４】
前記第２通信部は、前記外部機器から前記送信先アドレスを受信すると、前記送信先アドレスを前記識別アドレスとして前記制御回路に書き込むことを特徴とする請求項２または３に記載の点灯装置。
【請求項５】
前記第２通信部は、前記電源装置から電力を供給されて前記識別アドレスを前記制御回路に書き込むことを特徴とする請求項４に記載の点灯装置。
【請求項６】
前記第２通信部は、前記第１通信部の前記識別アドレスを、前記無線信号の前記送信先アドレスとして前記無線通信により前記外部機器に送信することを特徴とする請求項１に記載の点灯装置。
【請求項７】
前記第２通信部の前記無線通信はＮＦＣであることを特徴とする請求項１から６の何れか１項に記載の点灯装置。
【請求項８】
前記第２通信部の前記無線通信はＲＦＩＤであることを特徴とする請求項１から６の何れか１項に記載の点灯装置。
【請求項９】
前記外部機器を前記第２通信部にかざすことで、前記外部機器と前記第２通信部との間で前記無線通信が実施されることを特徴とする請求項１から８の何れか１項に記載の点灯装置。
【請求項１０】
前記外部機器は、スマートフォンまたはタブレットであることを特徴とする請求項１から９の何れか１項に記載の点灯装置。
【請求項１１】
前記光源と、
請求項１から１０の何れか１項に記載の点灯装置と、
を備えることを特徴とする照明器具。
【請求項１２】
前記外部機器と前記第２通信部との間で前記無線通信が実施されている状態で、前記第２通信部と前記外部機器は非金属の部材に隔てられることを特徴とする請求項１１に記載の照明器具。
【請求項１３】
前記無線通信は、前記照明器具が設置された状態で実施されることを特徴とする請求項１１または１２に記載の照明器具。
【請求項１４】
請求項１１から１３の何れか１項に記載の照明器具を複数備え、
前記複数の照明器具の各々では、前記第２通信部は前記外部機器から自己が属するグループの情報を受信し、前記制御回路は前記グループ宛ての前記無線信号に応じて前記点灯回路を制御することを特徴とする照明制御システム。
【請求項１５】
請求項１１からの１３の何れか１項に記載の照明器具と、
前記第１通信部に前記無線信号を送信する第３通信部と、前記第２通信部と前記無線通信を行う第４通信部と、を有する通信装置と、
を備えることを特徴とする照明制御システム。
【請求項１６】
前記通信装置は操作リモコンであることを特徴とする請求項１５に記載の照明制御システム。
【請求項１７】
前記第４通信部は、前記第２通信部から前記識別アドレスを受信し、
前記第３通信部は、前記識別アドレスを前記送信先アドレスとして前記無線信号を送信することを特徴とする請求項１５または１６に記載の照明制御システム。
【請求項１８】
前記第４通信部は、前記送信先アドレスを前記第２通信部に送信し、
前記第２通信部は、前記送信先アドレスを前記識別アドレスとして記憶し、
前記第３通信部は、前記送信先アドレス宛に前記無線信号を送信することを特徴とする請求項１５または１６に記載の照明制御システム。
【請求項１９】
前記照明器具を複数備え、
前記第４通信部は、前記複数の照明器具の前記第２通信部から複数の識別アドレスをそれぞれ受信し、
前記第３通信部は、前記複数の識別アドレスで前記複数の照明器具を一括して制御することを特徴とする請求項１７に記載の照明制御システム。
【請求項２０】
前記照明器具と、前記通信装置と、をそれぞれ複数備え、
前記複数の照明器具は、複数の第１照明器具と、複数の第２照明器具と、を含み、
前記複数の通信装置は、第１通信装置と第２通信装置とを含み、
前記第１通信装置は、前記複数の第１照明器具から複数の第１識別アドレスをそれぞれ受信し、前記複数の第１識別アドレスで前記複数の第１照明器具を一括して制御し、
前記第２通信装置は、前記複数の第２照明器具から複数の第２識別アドレスをそれぞれ受信し、前記複数の第２識別アドレスで前記複数の第２照明器具を一括して制御することを特徴とする請求項１７に記載の照明制御システム。
【請求項２１】
前記通信装置または前記外部機器は、前記照明器具の配置に応じて前記送信先アドレスを生成する機能を有することを特徴とする請求項１５から２０の何れか１項に記載の照明制御システム。
【請求項２２】
前記通信装置または前記外部機器は、前記送信先アドレスを前記操作装置に記憶させる機能を有することを特徴とする請求項２１に記載の照明制御システム。
【発明の詳細な説明】
【技術分野】
【０００１】
本発明は、点灯装置、照明器具および照明制御システムに関する。
【背景技術】
【０００２】
特許文献１には、光源を有する照明モジュールと、無線ネットワークを介して受信される制御信号を照明モジュールに伝達する通信モジュールを含む照明装置が開示されている。
【先行技術文献】
【特許文献】
【０００３】
【特許文献１】特開２０１３−２３６３６１号公報
【発明の概要】
【発明が解決しようとする課題】
【０００４】
特許文献１のような無線による照明制御システムでは、アドレスと照明器具の紐付けが複雑となることがある。一般に、照明器具に搭載された無線モジュールには、アドレスがランダムに付与される。このため、アドレスと複数の照明器具とを紐付けするためには、例えばすべての照明器具の無線アドレスを取得し、取得したアドレスで１台ずつ照明器具を点灯させて、目視で設置場所を確認するという作業が必要であった。照明器具は、１物件につき数万台設置されることもある。従って、アドレスと複数の照明器具を紐付けするために、膨大な作業が発生するおそれがある。
【０００５】
本発明は、上述の課題を解決するためになされたもので、アドレスと照明器具との紐付けを簡単にできる点灯装置、照明器具および照明制御システムを得ることを目的とする。
【課題を解決するための手段】
【０００６】
本発明に係る点灯装置は、光源を点灯させる点灯回路と、無線信号に応じて該点灯回路を制御する制御回路と、を有する電源装置と、外部の操作装置から該無線信号を受信する第１通信部と、外部機器との間に生じる電磁波または電磁誘導により電力を供給され該外部機器と無線通信を行い、該操作装置が記憶する該無線信号の送信先アドレスと、該第１通信部の識別アドレスと、を一致させる第２通信部と、を備える。
【発明の効果】
【０００７】
本発明に係る点灯装置では、第２通信部の無線通信により、操作装置が記憶する無線信号の送信先アドレスと、第１通信部の識別アドレスとを一致させることができる。従って、アドレスと照明器具との紐付けを簡単にできる。
【図面の簡単な説明】
【０００８】
【図１】実施の形態１に係る照明器具の斜視図である。
【図２】実施の形態１に係る照明器具の回路ブロック図である。
【図３】実施の形態１に係る第２通信部の平面図である。
【図４】実施の形態１に係る第２通信部の構成を示す図である。
【図５】実施の形態２に係る照明制御システムを説明する図である。
【図６】実施の形態３に係る照明制御システムを説明する図である。
【図７】実施の形態３に係る通信装置の構成を示す図である。
【発明を実施するための形態】
【０００９】
本発明の実施の形態に係る点灯装置、照明器具および照明制御システムについて図面を参照して説明する。同じ又は対応する構成要素には同じ符号を付し、説明の繰り返しを省略する場合がある。
【００１０】
実施の形態１．
図１は、実施の形態１に係る照明器具５００の斜視図である。照明器具５００は、長方形の筐体２１０と、筐体２１０に取り付けられた光源部２００とを備える。筐体の内部には、後述する電源装置２２０が収納されている。照明器具５００は天井等の被取付部に取り付けられる。
【００１１】
筐体２１０の側面には、通信回路部５２０が取り付けられる。通信回路部５２０の内部には、第１通信部１００と第２通信部１０１が収められている。第２通信部１０１は外部機器５３０と通信する。外部機器５３０は、例えばスマートフォンまたはタブレット等の情報通信端末である。外部機器５３０は、汎用の近距離無線通信用リーダーライターまたは近距離無線通信用リーダーライター機能を備える。
【００１２】
本実施の形態では、外部機器５３０を照明器具５００の外側から第２通信部１０１にかざすことで、外部機器５３０と第２通信部１０１との間で近距離無線通信が実施される。近距離無線通信は、外部機器５３０と第２通信部１０１の通信方式の一例である。外部機器５３０と第２通信部１０１との間の近距離無線通信は、照明器具５００が被取付部に設置された状態で実施される。
【００１３】
図２は、実施の形態１に係る照明器具５００の回路ブロック図である。照明器具５００は、負荷回路部４０および点灯装置４００を備える。
【００１４】
点灯装置４００の入力側には、外部電源ＡＣが接続されている。点灯装置４００は、外部電源ＡＣから電力を供給され、光源４１〜４４を点灯させる。外部電源ＡＣは、例えば商用電源等の交流電源である。なお、点灯装置４００は、直流電源に接続されていてもよい。この場合、後述する整流回路および高調波抑制回路２０は不要となる。
【００１５】
点灯装置４００の出力側には、負荷回路部４０が接続される。負荷回路部４０は複数の光源４１〜４４を有する。光源４１〜４４は、例えばＬＥＤ等の発光素子である。負荷回路部４０では、光源４１〜４４によりＬＥＤランプまたはＬＥＤモジュールが構成される。光源部２００は負荷回路部４０を含む。負荷回路部４０において、複数の光源４１〜４４は直列に接続されている。これに限らず、複数の光源４１〜４４は、並列または直並列に接続されても良い。また、負荷回路部４０は光源４１〜４４を１つ以上有すれば良い。
【００１６】
一般に、光源４１〜４４として発光ダイオード等の半導体光源を用いた照明器具５００は、蛍光灯、放電灯または白熱電球と比較して、高い変換効率及び光学効率が得られる。従って、照明器具５００の消費エネルギーを低減できる。また、半導体光源では、一般に蛍光灯、放電灯または白熱電球よりも調光を容易に行うことができる。従って、きめ細かく明るさをコントロールできる。
【００１７】
点灯装置４００は、入力フィルタ整流回路１０、高調波抑制回路２０、電流調整回路３０、制御回路５０、第１通信部１００および第２通信部１０１を備える。高調波抑制回路２０と電流調整回路３０は点灯回路２５を構成する。また、入力フィルタ整流回路１０、高調波抑制回路２０、電流調整回路３０および制御回路５０は電源装置２２０を構成する。
【００１８】
入力フィルタ整流回路１０は、外部電源ＡＣに接続された入力フィルタ回路１１と、入力フィルタ回路１１の出力側に接続された整流回路を備える。入力フィルタ回路１１は、図示しないインダクタおよびコンデンサから構成される。入力フィルタ回路１１はノイズの除去を行う。整流回路はダイオード１２〜１５で構成される。整流回路は交流電圧を全波整流する。
【００１９】
高調波抑制回路２０は、昇圧チョッパ方式の力率改善回路である。高調波抑制回路２０は整流回路の出力に接続される。高調波抑制回路２０は、整流回路で整流された脈流電圧を昇圧し、平滑コンデンサ２３に予め定められた直流高電圧を充電する。高調波抑制回路２０は、入力電流が正弦波になるようにスイッチングを行い、チョッパ出力電圧を一定に制御する。
【００２０】
高調波抑制回路２０はインダクタ２１を備える。インダクタ２１の一端は、整流回路の出力の高電位側と接続される。インダクタ２１の他端には、スイッチング素子２４のドレインおよびダイオード２２のアノードが接続される。
【００２１】
スイッチング素子２４は例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。スイッチング素子２４のソースは平滑コンデンサ２３の負極に接続される。スイッチング素子２４のゲートは制御回路５０の駆動回路５２に接続される。ダイオード２２のカソードは、平滑コンデンサ２３の正極に接続される。平滑コンデンサ２３の負極は、整流回路の出力の低電位側に接続される。
【００２２】
制御回路５０は、マイクロコンピュータ５１と駆動回路５２とを備える。マイクロコンピュータ５１は、処理装置５１ａとメモリ５１ｂを有する。処理装置５１ａはメモリ５１ｂに記憶されたプログラムに従って、スイッチング素子２４をオンオフする。
【００２３】
ここで、一般にマイクロコンピュータ５１の出力電圧はＭＯＳＦＥＴの駆動電圧よりも小さい。このため、マイクロコンピュータ５１からのスイッチング信号は駆動回路５２に入力される。駆動回路５２はスイッチング信号に応じて、スイッチング素子２４をオンオフする。これにより、安定なスイッチングを実現できる。
【００２４】
平滑コンデンサ２３には電流調整回路３０が接続される。電流調整回路３０は、負荷回路部４０に直流電流を流す回路である。電流調整回路３０は、平滑コンデンサ２３から電力を供給されて光源４１〜４４を点灯させる。電流調整回路３０は、例えばバックコンバータ方式であり、定電流制御される。
【００２５】
電流調整回路３０において、平滑コンデンサ２３の正極には、スイッチング素子３１のドレインが接続される。スイッチング素子３１は、例えばＭＯＳＦＥＴである。スイッチング素子３１のソースには、ダイオード３４のカソードおよびインダクタ３２の一端が接続される。スイッチング素子３１のゲートは、駆動回路５２に接続される。
【００２６】
ダイオード３４のアノードには、平滑コンデンサ２３の負極および電流検出抵抗３５の一端が接続される。インダクタ３２の他端には、コンデンサ３３の正極が接続される。コンデンサ３３の負極には電流検出抵抗３５の他端が接続される。コンデンサ３３と並列に負荷回路部４０が接続される。電流調整回路３０の出力電圧は、コンデンサ３３で平滑され、負荷回路部４０に供給される。
【００２７】
電流検出抵抗３５に印加される電圧は、負荷回路部４０を流れる電流に対応する。ＬＥＤに流れる電流は、電流検出抵抗３５にて電圧に変換され、マイクロコンピュータ５１に入力される。マイクロコンピュータ５１は、電流検出抵抗３５に印加される電圧を検出する。
【００２８】
メモリ５１ｂには電流調整回路３０を制御するプログラムが記憶されている。処理装置５１ａは、電流検出抵抗３５に印加される電圧とプログラム上の設定値とを比較して、両者が一致するようにスイッチング素子３１をオンオフする。このように、本実施の形態では、点灯回路２５の出力電流はマイクロコンピュータのプログラムで決定される。スイッチング素子２４と同様に、マイクロコンピュータ５１は駆動回路５２を介して、スイッチング素子３１をオンオフする。これにより、光源４１〜４４は定電流制御で点灯する。
【００２９】
次に、制御回路５０について詳細に説明する。制御回路５０は、マイクロコンピュータ５１、駆動回路５２および制御電源回路５３を備える。マイクロコンピュータ５１はマイコンとも呼ばれる。マイクロコンピュータ５１は駆動回路５２を介して高調波抑制回路２０および電流調整回路３０の動作を制御する。
【００３０】
駆動回路５２は、マイクロコンピュータ５１から入力されるパルス信号に同期して、スイッチング素子２４、３１を駆動する。駆動回路５２は、スイッチング素子２４、３１をそれぞれ独立して駆動する。
【００３１】
制御電源回路５３は、入力フィルタ整流回路１０で整流された直流電圧から、降圧チョッパ、ドロッパー等の構成を用いて定電圧を生成する。この定電圧は、マイクロコンピュータ５１、駆動回路５２、第１通信部１００および第２通信部１０１に供給される。
【００３２】
次に、第１通信部１００について説明する。第１通信部１００は、個別アドレスを有する無線モジュールから構成される。第１通信部１００は、Ｂｌｕｅｔｏｏｔｈ（登録商標）、Ｗｉ−Ｆｉ、Ｓｕｂ−ＧＨｚ無線などの数ｍ〜数１００ｍの通信を行う。第１通信部１００は、外部の操作装置８００から無線信号を受信し、制御回路５０のマイクロコンピュータ５１に転送する。操作装置８００は、無線制御システムのコントローラ等である。無線信号は、点灯、消灯、調光等の命令を含む。
【００３３】
次に、第２通信部１０１について説明する。図３は、実施の形態１に係る第２通信部１０１の平面図である。第２通信部１０１はアンテナ１１１、ケーブル１１２およびパッケージ１１３を備える。パッケージ１１３には、後述するＮＦＣ＿ＩＣ１１０が収納される。ケーブル１１２により、第２通信部１０１は電源装置２２０から電力の供給を受ける。また、第２通信部１０１は、ケーブル１１２を介して制御回路５０と通信する。
【００３４】
無線通信素子であるアンテナ１１１は第２通信部１０１と外部機器５３０との間の近距離無線通信に用いられる。第２通信部１０１と外部機器５３０との間の近距離無線通信はＮＦＣ（Ｎｅａｒ  Ｆｉｅｌｄ  Ｃｏｍｍｕｎｉｃａｔｉｏｎ）である。ＮＦＣでは、例えば１３．５６ＭＨｚの周波数を利用する。また、通信距離は１０ｃｍ程度である。また、近距離無線通信の処理は、暗号処理を含めて約０．１秒以内で終了する。本実施の形態では、外部機器５３０を第２通信部１０１に近づけることで、非接触で通信を行うことができる。
【００３５】
ＮＦＣ＿ＩＣ１１０は例えばダイナミックタグとも呼ばれる。ダイナミックタグを用いることで、アンテナ１１１で受信したデータをＩ２Ｃ（Ｉｎｔｅｒ−Ｉｎｔｅｇｒａｔｅｄ  Ｃｉｒｃｕｉｔ）出力で外部マイコンに書き込むことができる。
【００３６】
図４は、実施の形態１に係る第２通信部１０１の構成を示す図である。第２通信部１０１は、アンテナ１１１とＮＦＣ＿ＩＣ１１０とを備える。ＮＦＣ＿ＩＣ１１０として、例えばＳＴＭｉｃｒｏｅｌｅｃｔｒｏｎｉｃｓ（登録商標）製ＳＴ２５ＤＶシリーズを用いることができる。ＮＦＣ＿ＩＣ１１０は、電源生成回路１１０ａ、デジタル出力回路１１０ｂ、メモリ１１０ｃおよび図示しないバッファを備える。メモリ１１０ｃは例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）である。
【００３７】
外部機器５３０を第２通信部１０１にかざすと、外部機器５３０と第２通信部１０１との間には磁界による誘導電流が発生する。第２通信部１０１は、外部機器５３０とアンテナ１１１との間に生じる電磁波または電磁誘導により電力を供給されて、外部機器５３０と近距離無線通信を行う。近距離無線通信で送受信されるデータは、例えば第１通信部１００の送信先アドレスである。また、第２通信部１０１は、外部機器５３０からデータを受信すると、近距離無線通信により生じる電力を用いて受信したデータをメモリ１１０ｃに記憶する。
【００３８】
電源生成回路１１０ａは、近距離無線通信により生じる電力から、データの送受信およびメモリ１１０ｃへの書き込みを行うための電源を生成する。
【００３９】
以上から、第２通信部１０１は、電源装置２２０の通電、非通電に関わらず、近距離無線通信で使用される電磁波又は電波のエネルギーを利用して、データを受信し、データをメモリ１１０ｃに格納する。第２通信部１０１は、電源装置２２０に電力が供給されていない状態においても、外部機器５３０からデータを受信できる。このため、使用者は電源装置２２０の通電、非通電を考慮せずにデータの転送を実施できる。従って、照明器具５００の操作性を向上できる。
【００４０】
また、電源装置２２０に外部電源ＡＣから電力が供給されているとき、制御電源回路５３は定電圧を生成する。この定電圧はデジタル出力回路１１０ｂに供給される。マイクロコンピュータ５１は書き込み端子５１ｃを有する。デジタル出力回路１１０ｂは書き込み端子５１ｃと接続される。デジタル出力回路１１０ｂは、メモリ１１０ｃに記憶されたデータを、書き込み端子５１ｃを介してマイクロコンピュータ５１に出力する。このように、第２通信部１０１は、電源装置２２０から電力を供給されてメモリ１１０ｃに格納したデータを制御回路５０のメモリ５１ｂに書き込む。データは、Ｉ２Ｃ通信でマイクロコンピュータ５１に書込まれる。これに限らず、データが制御回路５０に書き込まれれば、他の方法が用いられても良い。
【００４１】
以上から、第２通信部１０１は、電源装置２２０に電力が供給されているときに、電源装置２２０の通電時の電力を利用して、記憶したデータを制御回路５０に書き込む。
【００４２】
次に、第１通信部１００に識別アドレスを付与する動作について説明する。識別アドレスは、複数の第１通信部１００の各々に付与される無線アドレスである。識別アドレスは無線通信の送信先アドレスとして、照明器具５００の外部の機器で作成される。外部の機器は、パソコン、スマートフォン等である。また、送信先アドレスは操作装置８００に記憶される。
【００４３】
送信先アドレスは、外部機器５３０または後述する通信装置７００で生成されても良い。外部機器５３０または通信装置７００は、照明器具５００の配置を示す設定用画面を有する。ユーザは、設定用画面を用いて予め送信先アドレスを生成する。送信先アドレスは、識別アドレスとして第２通信部１０１に送信される。送信先アドレスは、予めユーザが自由に選択した数値を設定しても良い。また、送信先アドレスは、照明器具５００の配置と関連付けて、分かりやすく付与されても良い。
【００４４】
外部機器５３０および通信装置７００は、照明器具５００の配置に応じて自動で送信先アドレスを生成する機能を有しても良い。例えば送信先アドレスとして、照明器具５００の並び順に応じた連番のアドレスが生成されても良い。また、外部機器５３０および通信装置７００は、無線信号の送信先アドレスを操作装置８００に送信する機能を持つ。つまり、外部機器５３０および通信装置７００は、送信先アドレスを操作装置８００に記憶させる機能を有する。
【００４５】
使用者は、外部機器５３０を照明器具５００の通信回路部５２０に近接させる。これにより、第２通信部１０１は、送信先アドレスを近距離無線通信により外部機器５３０から受信する。第２通信部１０１は、受信した送信先アドレスを、第１通信部１００の識別アドレスとしてメモリ１１０ｃに記憶する。このとき、第２通信部１０１は、電源装置２２０に電力が供給されていない状態で外部機器５３０から送信先アドレスを受信しても良い。
【００４６】
第２通信部１０１は、外部機器５３０から送信先アドレスを受信し、識別アドレスとして記憶した後、電源装置２２０から電力を供給されて、識別アドレスを制御回路５０のメモリ５１ｂに書き込む。従って、第１通信部１００に任意の識別アドレスを付与できる。これにより、操作装置８００が記憶する無線信号の送信先アドレスと、第１通信部１００の識別アドレスとが一致する。
【００４７】
操作装置８００は、記憶した送信先アドレス宛に無線信号を送信する。第１通信部１００は、第１通信部１００の識別アドレス宛の無線信号を受信すると、無線信号を制御回路５０に送信する。制御回路５０は、無線信号に応じて点灯回路２５を制御する。これにより、無線信号に応じて光源部２００の点灯状態が制御される。
【００４８】
一般に、連続調光タイプの照明器具を照明制御システムに接続することで、きめ細かな明るさのコントロールが可能になる。しかし、有線通信による調光方式では、照明制御システムを構成する各器具に配線を行う必要がある。従って、設置工事費が高くなるおそれがある。これに対し、本実施の形態では、無線信号により光源部２００の点灯状態が制御される。従って、設置工事を容易に実施でき、設置工事費を抑制できる。
【００４９】
本実施の形態において、無線制御システムの操作装置８００は、照度センサが検出した照度値に応じて、無線信号により光源部２００の明るさを制御しても良い。これにより、外光を利用した調光が可能になる。また、操作装置８００は、人感センサの検出する情報に応じて、無線信号により使用者が不在のときに照明器具５００を消灯させても良い。このような制御により、照明器具５００の消費電力を低減できる。
【００５０】
また、無線制御システムでは、一般にアドレスと照明器具の紐付けが複雑となることがある。アドレスと照明器具の紐付けの方法として、例えば、照明器具の無線アドレスを通信により取得し、取得したアドレスで照明器具を点灯させて目視で設置場所を確認することが考えられる。これに対し、本実施の形態では、照明器具の設置場所において、外部機器５３０を第２通信部１０１にかざすことで、外部機器５３０から第２通信部１０１に送信先アドレスが送信される。このため、照明器具５００の位置の把握と識別アドレスの付与が一度にできる。従って、送信先アドレスと照明器具５００の紐付けを簡単に実施できる。また、外部機器５３０を第２通信部１０１にかざすことで、第１通信部１００に容易に任意のアドレスを付与できる。
【００５１】
また、複数の照明器具５００で照明制御システムを構成しても良い。この場合、複数の照明器具５００の各々に送信先アドレスを作成して識別アドレスとして付与すれば良い。また、第１通信部１００に無線信号を送信する操作装置８００には、使用者が作成した複数の送信先アドレスを登録する。これにより、操作装置８００により複数の照明器具５００を個別に制御できる。また、送信先アドレスと複数の照明器具５００を紐付けするための作業を簡易化できる。
【００５２】
また、近距離無線を使用することで、外部機器５３０を近接させた照明器具５００のみに識別アドレスを付与できる。近距離無線により、特定の照明器具５００とだけ通信できるため、意図しない器具に識別アドレスが付与されることを防止できる。
【００５３】
本実施の形態では、第２通信部１０１は近距離無線通信により、外部機器５３０から第１通信部１００の識別アドレスとして送信先アドレスを受信した。本実施の形態の変形例として、第２通信部１０１は、ランダムに付与された第１通信部１００の識別アドレスを、無線信号の送信先アドレスとして、近距離無線通信により外部機器５３０に送信しても良い。
【００５４】
変形例において、制御回路５０は、メモリ５１ｂに記憶された識別アドレスを第２通信部１０１のメモリ１１０ｃに書き込む。識別アドレスは、外部機器５３０を第２通信部１０１にかざすことで、送信先アドレスとして第２通信部１０１から外部機器５３０に送信される。識別アドレスは、電源装置２２０の通電、非通電に関わらず、近距離無線通信で使用される電磁波又は電波のエネルギーを利用して、外部機器５３０により読み取られる。外部機器５３０が受信した識別アドレスは送信先アドレスとして、操作装置８００に登録される。この場合も、操作装置８００が記憶する無線信号の送信先アドレスと、第１通信部１００の識別アドレスとを一致させることができる。従って、送信先アドレスと照明器具５００との紐付けを簡単にできる。
【００５５】
また、図１に示されるように、第２通信部１０１は安全を考慮して筐体に収納される。これにより、使用者を感電から保護できる。一方で、近距離無線では送信部と受信部が金属で隔てられると、一般に通信が困難となる。このため、第２通信部１０１を収納する筐体は、樹脂または非金属で形成されることが好ましい。また、通信回路部５２０を収納する筐体のうち、第２通信部１０１を覆う部分または第２通信部１０１に近接した部分のみが、樹脂または非金属で形成されていても良い。
【００５６】
外部機器５３０と第２通信部１０１との間で近距離無線通信が実施されている状態で、第２通信部１０１と外部機器５３０は非金属の部材に隔てられる。これにより近距離無線通信を安定して実現できる。また、照明器具５００を使用場所に設置した状態、または照明器具５００が組み立てられた状態でも、送信先アドレスの送受信ができる。従って、照明器具５００の操作性を向上でき、識別アドレスの付与を容易に実施できる。
【００５７】
同様に、第１通信部１００を収納する筐体は、一部または全部が樹脂または非金属で形成されても良い。
【００５８】
また、第２通信部１０１と外部機器５３０との間の近距離無線通信はＲＦＩＤ（Ｒａｄｉｏ  Ｆｒｅｑｕｅｎｃｙ  Ｉｄｅｎｔｉｆｉｅｒ）であっても良い。第２通信部１０１と外部機器５３０との間の無線通信方式は、例えば通信距離が１ｃｍ〜１ｍ程度の近距離無線方式であることが好ましい。
【００５９】
これらの変形は以下の実施の形態に係る点灯装置、照明器具および照明制御システムについて適宜応用することができる。なお、以下の実施の形態に係る点灯装置、照明器具および照明制御システムについては実施の形態１との共通点が多いので、実施の形態１との相違点を中心に説明する。
【００６０】
実施の形態２．
図５は、実施の形態２に係る照明制御システム６００を説明する図である。照明制御システム６００は、複数の照明器具５００を備える。図５は、複数の照明器具５００が天井に設置された状態を示している。複数の照明器具５００は複数の制御グループに分けられる。複数の制御グループは例えばグループＡ〜Ｃである。グループＡには複数の照明器具５００ａが属する。グループＢには複数の照明器具５００ｂが属する。グループＣには複数の照明器具５００ｃが属する。
【００６１】
外部機器５３０ａ、５３０ｂ、５３０ｃは、それぞれグループＡ〜Ｃを制御する。外部機器５３０ａは、複数の照明器具５００のうちグループＡに設定する複数の照明器具５００ａに対して、グループ情報を近距離無線通信により送信する。グループ情報は、照明器具５００が属するグループの情報である。使用者は、グループＡに設定する複数の照明器具５００ａのそれぞれに外部機器５３０ａを近接させることで、グループ情報を付与する。グループ情報の付与は、照明器具５００が天井に設置された状態で実施される。
【００６２】
複数の照明器具５００ａの各々において、第２通信部１０１は外部機器５３０から自己が属するグループの情報を受信する。これにより、照明器具５００ａの制御回路５０は、照明器具５００ａが属するグループＡ宛ての無線信号に応じて点灯回路２５を制御する。同様に、グループＢ、Ｃは、それぞれ外部機器５３０ｂ、５３０ｃからグループ情報が付与される。
【００６３】
本実施の形態によれば、複数の照明器具５００に容易に制御グループを設定できる。これにより、制御グループ毎に一括した制御が可能になる。
【００６４】
本実施の形態の変形例として、グループ情報に代えて、同一の制御グループに属する複数の照明器具５００に同一の識別アドレスを付与しても良い。この場合も、制御グループ毎に一括した制御が可能になる。
【００６５】
実施の形態３．
図６は、実施の形態３に係る照明制御システム６００ａを説明する図である。図７は、実施の形態３に係る通信装置７００の構成を示す図である。照明制御システム６００ａは、複数の照明器具５００と、複数の通信装置７００とを備える。複数の通信装置７００は、通信装置７００ａ、７００ｂを含む。
【００６６】
通信装置７００は、例えば操作リモコンである。通信装置７００は、第３通信部７０１と、第４通信部７０２を有する。第３通信部７０１は、第１通信部１００に無線信号を送信する。第３通信部７０１は、Ｂｌｕｅｔｏｏｔｈ（登録商標）、Ｗｉ−Ｆｉ、Ｓｕｂ−ＧＨｚ無線などの数ｍ〜数１００ｍの通信が可能な無線モジュールで構成される。第３通信部７０１は、無線制御システムの操作装置８００と同じ通信プロトコルで、第１通信部１００に無線信号を送信する。第４通信部７０２は、第２通信部１０１と近距離無線通信を行う。第４通信部７０２は、ＮＦＣ、ＲＦＩＤ等の近距離無線素子で構成される。
【００６７】
なお、無線制御システムの操作装置８００とは別に通信装置７００が設けられても良い。または、操作装置８００に代えて通信装置７００が設けられても良い。つまり、照明制御システム６００ａは無線制御システムと通信しなくても良い。
【００６８】
通信装置７００を照明器具５００の通信回路部５２０に近接させると、第２通信部１０１は、第１通信部１００の識別アドレスを近距離無線通信により通信装置７００の第４通信部７０２に送信する。第４通信部７０２は、第２通信部１０１から識別アドレスを受信し、送信先アドレスとして通信装置７００が有するメモリに記憶する。
【００６９】
第３通信部７０１は、記憶した送信先アドレス宛に無線信号を送信する。これにより、通信装置７００は、第４通信部７０２により識別アドレスを受信した照明器具５００を制御できる。
【００７０】
例えば、使用者は、図６のグループＡに属する複数の照明器具５００ａの各々の通信回路部５２０に通信装置７００ａを近接させる。これにより、通信装置７００ａは、複数の照明器具５００ａの各々の識別アドレスを取得し送信先アドレスとして記憶できる。通信装置７００ａは、複数の照明器具５００のうち送信先アドレスが記憶された照明器具５００ａのみに、第３通信部７０１から無線信号を送信する。複数の照明器具５００のうち無線信号の送信先アドレスに該当する照明器具５００ａは、第１通信部１００によって無線信号を受信し、無線信号に応じて光源部２００の点灯状態を制御する。
【００７１】
同様に、使用者はグループＢに属する複数の照明器具５００ｂの各々の通信回路部５２０に通信装置７００ｂを近接させる。これにより、通信装置７００ｂは、複数の照明器具５００ｂの各々の識別アドレスを取得できる。通信装置７００ｂは、照明器具５００ｂに無線信号を送信する。これにより、複数の照明器具５００のうち照明器具５００ｂは、無線信号に応じて光源部２００の点灯状態を制御する。
【００７２】
本実施の形態では、通信装置７００の第４通信部７０２は、複数の照明器具５００の第２通信部１０１から複数の識別アドレスをそれぞれ受信する。通信装置７００の第３通信部７０１は、複数の識別アドレスで複数の照明器具５００を一括して制御する。このように、識別アドレスの取得および無線信号の送信を１つの通信装置７００で実施することで、さらに容易に送信先アドレスと照明器具５００との紐付けが実施できる。
【００７３】
また、本実施の形態では、複数の照明器具５００は、グループＡに属する複数の照明器具５００ａと、グループＢに属する複数の照明器具５００ｂとを含む。通信装置７００ａは、複数の照明器具５００ａから複数の第１識別アドレスをそれぞれ受信し、複数の第１識別アドレスで複数の照明器具５００ａを一括して制御する。同様に、通信装置７００ｂは、複数の照明器具５００ｂから複数の第２識別アドレスをそれぞれ受信し、複数の第２識別アドレスで複数の照明器具５００ｂを一括して制御する。
【００７４】
つまり、本実施の形態では、制御グループ毎に専用の通信装置７００が設けられる。複数の通信装置７００により、複数の制御グループをそれぞれ独立して操作することで、グループ制御を容易に実施できる。また、本実施の形態では、通信装置７００を近接させた照明器具５００のみを個別にリモコン制御できる。従って、容易に複数の照明器具５００をグループ制御できる。
【００７５】
また、３台以上の通信装置７００を用いて、３つ以上の制御グループを独立して制御しても良い。また、１台の通信装置７００で複数の制御グループを制御しても良い。この場合、例えば通信装置７００に設けられたスイッチ操作により、制御対象の制御グループを切り替える。
【００７６】
また、本実施の形態ではグループ制御の例を示したが、通信装置７００により１台の照明器具５００を制御しても良い。
【００７７】
また、本実施の形態では、第１通信部１００に予め設定された識別アドレスを、通信装置７００で読み込み、送信先アドレスとして通信装置７００のメモリに記憶した。この変形例として、通信装置７００の第４通信部７０２が、送信先アドレスを第２通信部１０１に送信しても良い。この場合、識別アドレスとなる無線信号の送信先アドレスは、例えば使用者により作成される。送信先アドレスは、通信装置７００に登録される。通信装置７００の第４通信部７０２は、送信先アドレスを近距離無線通信により第２通信部１０１に送信する。第２通信部１０１は、送信先アドレスを識別アドレスとして記憶し、制御回路５０に書き込む。これにより、第１通信部１００に識別アドレスが付与される。
【００７８】
変形例において、通信装置７００の第３通信部７０１は、送信先アドレス宛に無線信号を送信することで、照明器具５００を制御する。この場合も、識別アドレスの付与および無線信号の送信を１つの通信装置７００で実施することで、容易に送信先アドレスと照明器具５００との紐付けが実施できる。
【００７９】
実施の形態４．
図６に示される複数の照明器具５００は、通信装置７００および無線制御システムの操作装置８００により制御されても良い。通信装置７００と無線制御システムとは、同じ通信プロトコルで第１通信部１００に無線信号を送信する。
【００８０】
第１通信部１００は、通信装置７００と無線制御システムの操作装置８００とから、無線信号をそれぞれ受信する。制御回路５０は、通信装置７００からの無線信号を操作装置８００からの無線信号よりも優先して、点灯回路２５を制御する。
【００８１】
つまり、複数の照明器具５００のうち、通信装置７００との間で送信先アドレスの送信または受信を行った照明器具５００のみが、通信装置７００により制御される。通信装置７００と通信していない照明器具５００は、無線制御システムにより制御される。
【００８２】
本実施の形態では、無線制御システムにより制御されている照明空間において、通信装置７００により一部の照明器具５００のみを制御できる。これにより、例えば使用者が居ない箇所の照明器具５００のみを消灯させることができる。また、照明空間のうち一部のみを明るくすることができる。従って、照明制御システム６００ａの利便性を向上できる。
【００８３】
また、本実施の形態では、無線制御システムと通信装置７００とが同一の通信プロトコルで照明器具５００を制御する。このため、通信装置７００を用いた照明制御システム６００ａを構築する際に、第１通信部１００として無線制御システム用の無線ユニットを流用できる。この際、特別な制御を追加する必要がなく、低コストかつ短期間で照明制御システム６００ａを構成できる。
【００８４】
各実施の形態で説明した技術的特徴は適宜に組み合わせて用いてもよい。
【符号の説明】
【００８５】
１０  入力フィルタ整流回路、１１  入力フィルタ回路、１２、１３、１４、１５  ダイオード、２０  高調波抑制回路、２１  インダクタ、２２  ダイオード、２３  平滑コンデンサ、２４  スイッチング素子、２５  点灯回路、３０  電流調整回路、３１  スイッチング素子、３２  インダクタ、３３  コンデンサ、３４  ダイオード、３５  電流検出抵抗、４０  負荷回路部、４１、４２、４３、４４  光源、５０  制御回路、５１  マイクロコンピュータ、５１ａ  処理装置、５１ｂ  メモリ、５１ｃ  書き込み端子、５２  駆動回路、５３  制御電源回路、１００  第１通信部、１０１  第２通信部、１１０ａ  電源生成回路、１１０ｂ  デジタル出力回路、１１０ｃ  メモリ、１１１  アンテナ、１１２  ケーブル、１１３  パッケージ、２００  光源部、２１０  筐体、２２０  電源装置、４００  点灯装置、５００、５００ａ、５００ｂ  照明器具、５２０  通信回路部、５３０  外部機器、５３０ａ  外部機器、５３０ｂ  外部機器、６００、６００ａ  照明制御システム、７００、７００ａ、７００ｂ  通信装置、７０１  第３通信部、７０２  第４通信部、８００  操作装置、ＡＣ  外部電源
【図１】
2020181768.tif 000003
【図２】
2020181768.tif 000004
【図３】
2020181768.tif 000005
【図４】
2020181768.tif 000006
【図５】
2020181768.tif 000007
【図６】
2020181768.tif 000008
【図７】
2020181768.tif 000009